(57)【要約】【課題】パネル構造の接続構造において、その組み立てが簡単になされると共に、接続部分で十分な機密性と強度が保たれ、その機密性と強度が長期間継続するようなパネル組み立て構造を提供すること。【解決手段】  壁面板７の雌接続金具６と壁面板９の雄接続金具８を接触させ壁面板９の壁面方向を壁面板７と同じ平面に並ぶよう回転させると、雄接続金具８の鈎帯１５が牝接続金具６の鈎受け１４に接近し、更に壁面板９を回転してゆくと、鈎部１６と鈎部１７とが係合する。これらが係合してしまうと、壁面板７と壁面板９は、同一平面上に並ぶと共に、これら壁面板は、容易に分離しないように両者結合される。【選択図】図２
2006291646.tif 000002
【特許請求の範囲】
【請求項１】
パネル組み立て構造の接続構造において、
パネル板と、
パネル板の周縁に取り付ける嵌め部形成帯の一側から突出する支点突条と、これと間隔をもって配置され、鈎部をもった鈎帯を有する雄接続金具と、
パネル板の周縁に取り付ける受け帯の一側に設けられ前記支点突条と密接係合する支点受けと、前記鈎帯と密接係合し鈎帯の鈎部と係合する鈎部を有する雌接続金具と、
を備え、
パネル板の一側縁に雄接続金具を取り付けると共に、該パネル板と接続するパネル板の雄接続金具と対向する側縁に雌接続金具を取り付け、支点突条と支点受けとを密接接続し、鈎受けと鈎帯を密接接続させて両者の鈎部を係合させると共に支点受けと鈎受け間に小空間を形成することを特徴とするパネル組み立て構造。
【請求項２】
前記接続する両者のパネル板は壁面板であることを特徴とする請求項１に記載のパネル組み立て構造。
【請求項３】
前記接続する一方のパネル板は壁面板であり、他方のパネル板は屋根板であることを特徴とする請求項１に記載のパネル組み立て構造。
【請求項４】
前記接続する両者のパネル板は、壁面のコーナー部分の壁面板であることを特徴とする請求項１に記載のパネル組み立て構造。
【請求項５】
前記雌接続金具の支点受けと鈎部は、パネル板の平面方向と直交する方向に突出していることを特徴とする請求項１に記載のパネル組み立て構造。
【請求項６】
前記雌接続金具の支点受けと鈎部は、パネル板の平面方向と同一方向に突出していることを特徴とする請求項１に記載のパネル組み立て構造。
【発明の詳細な説明】
【技術分野】
【０００１】
本発明は、プレハブに使用されるパネル組み立て構造に関する。
【背景技術】
【０００２】
プレハブ構造は災害時の簡易住宅や、建築現場における仮事務所の建設、山間奥地に建設される通信基地等に利用されている。従来から使用されているプレハブ構造は、発泡材からなる板状の断熱材の両面を金属板で覆って板状の壁材を形成し、その周囲に接続金具構造を取り付けてパネル構造を形成し、現場建築構造の規模や形状により、適当数のパネル構造を並べ、接続金具構造を連結して、所望の大きさや形状を有する壁面、床面、天井構造等を得る。
【特許文献１】特開２００４−１２５１１８号公報
【特許文献２】特開２００２−００４４０７号公報
【発明の開示】
【発明が解決しようとする課題】
【０００３】
通常、パネル構造を連結する接続金具構造は、ある程度の耐震構造となっており、適当な強度を保持しているほか、風雪が室内に流れ込まないように、隙間をシリコン樹脂等のコーキング材で充填し、機密性を保持すると共に、このコーキング材によるある程度の接着強度も期待していた。
このプレハブ構造の建築に当たっては、壁面間の接続に、可成りの施工時間を要し、また接続に当たっては、くぎの打ち込み動作やねじのねじ込み動作、接続金具間の溶接など、組み立てに可成り高度な組み立て技術を要する。
上記のような構造を有しているため、プレハブ構造の建築当初は、プレハブ構造の強度と機密性は十分に要求を満たすものであった。しかし、プレハブ構造といえども、筑後７，８年間使用することもある。このような長期年月間コーキング材を風雨に晒すと、酸化が起こり、コーキング材は、ぼろぼろの状態となり、自然に剥げ落ちることとなる。このコ−キング材が剥げ落ちると、壁面内外間に隙間が生じ空気の流通が発生するほか、壁面構造そのものの強度も落ちる結果となって、プレハブ構造の業界では、大きな問題となっていた。
【０００４】
本発明は、上述のような従来の不都合を防止しようとするものであって、その目的は、パネル組み立て構造の接続構造において、その組み立てが簡単になされると共に、接続部分で十分な機密性と強度が保たれ、その機密性と強度が長期間継続するようなパネル組み立て構造を提供することにある。
【課題を解決するための手段】
【０００５】
上記のごとき本発明の目的を達成するために、本願の請求項１に記載の発明は、パネル組み立て構造の接続構造において、パネル板と、パネル板の周縁に取り付ける嵌め部形成帯の一側から突出する支点突条と、これと間隔をもって配置され、鈎部をもった鈎帯を有する雄接続金具と、パネル板の周縁に取り付ける受け帯の一側に設けられ前記支点突条と密接係合する支点受けと、前記鈎帯と密接係合し鈎帯の鈎部と係合する鈎部を有する雌接続金具と、を備え、パネル板の一側縁に雄接続金具を取り付けると共に、該パネル板と接続するパネル板の雄接続金具と対向する側縁に雌接続金具を取り付け、支点突条と支点受けとを密接接続し、鈎受けと鈎帯を密接接続させて両者の鈎部を係合させると共に支点受けと鈎受け間に小空間を形成することを特徴とするパネル組み立て構造を提供する。
本願の請求項２に記載の発明は、請求項１に記載の発明に加えて、前記接続する両者のパネル板は壁面板であることを特徴とするパネル組み立て構造を提供する。
本願の請求項３に記載の発明は、請求項１に記載の発明に加えて、前記接続する一方のパネル板は壁面板であり、他方のパネル板は屋根板であることを特徴とするパネル組み立て構造を提供する。
本願の請求項４に記載の発明は、請求項１に記載の発明に加えて、前記接続する両者のパネル板は、壁面のコーナー部分の壁面板であることを特徴とするパネル組み立て構造を提供する。
本願の請求項５に記載の発明は、請求項１に記載の発明に加えて、前記雌接続金具の支点受けと鈎部は、パネル板の平面方向と直交する方向に突出していることを特徴とするパネル組み立て構造を提供する。
本願の請求項６に記載の発明は、請求項１に記載の発明に加えて、前記雌接続金具の支点受けと鈎部は、パネル板の平面方向と同一方向に突出していることを特徴とするパネル組み立て構造を提供する。
【発明の効果】
【０００６】
パネル板と接続するパネル板の雄接続金具と対向する側縁に雌接続金具を取り付け、支点突条と支点受けとを密接接続し、鈎受けと鈎帯を密接接続させて両者の鈎部を係合させると共に支点受けと鈎受け間に小空間を形成したので、これらパネル板は、容易に分離しないように両者結合される。そして、支点受けと支点突条とが密接接触して結合され、更に鈎帯と鈎受けとが密接結合され、これらが形成する小空間が外界と遮断されるため、この小空間が遮熱、遮音の層を形成し、パネル板の内外間は、熱的、音的に遮断される。その上、一方のパネル板を他方のパネル板に嵌め込むような簡単な結合動作をするだけで両者は堅く半永久的に結合され、容易に剥離するようなことがなくなる。
【発明を実施するための最良の形態】
【０００７】
一方のパネル板の雌接続金具と他方のパネル板の雄接続金具を接触させ一方のパネル板の壁面方向を他方のパネル板と同じ平面に並ぶよう回転させると、雄接続金具の鈎帯が牝接続金具の鈎受けに接近し、更に一方のパネル板を回転してゆくと、鈎部と鈎部とが係合する。これらが係合してしまうと、両方のパネル板は、同一平面上に並ぶと共に、これらパネル板は、容易に分離しないように両者は簡単に結合される。
【実施例】
【０００８】
次に本発明の一実施の形態を図面を用いて詳細に説明する。
図１は、プレハブ構造により組み立てられた簡単な小屋の正面図であり、図において、２は、地面１上に立てられた小屋である。小屋２の側面は、複数個のパネル板から成る壁面板３の側縁同士が結合されて壁面を形成している。四方を壁面で囲われたプレハブ小屋の上面は、やはりプレハブ構造により形成された屋根板４で構成された屋根５が形成されている。なお、説明を簡素化するため、この小屋２から入り口や窓の構造は除いて説明されている。図２は、図１におけるＡーＡ線に沿って壁面を切断した断面図で、鎖線の左側が雌接続金具６をもった壁面板７であり、同右側が雄接続金具８をもった壁面板９である。なお、図３は雌接続金具６の部分断面図であり、図４は、雄接続金具８の部分断面図である。壁面板７は、その骨格に、ポリウレタン発泡剤により形成された断熱板１０を有する。壁面板７は、図３から、両面を鉄板から成る化粧板１２に囲まれている。壁面板９は、図４から、その骨格に、ポリウレタン発泡剤により形成された断熱板１０を有する。またその両面を鉄板から成る化粧板９ａに囲まれている。雌接続金具６は、壁面板７の側縁に沿うように設けられ、断面は、”コ”字状を呈し、中央に位置する受け帯６’の両側に鰭部６”が形成される。受け帯６’の側縁には、後に述べる雄接続金具８に設けられた支点突条８’を受け入れる支点受け１３が形成されている。この支点受け１３は深い溝状を呈してその断面形状は支点突条８’の断面形状と同じであり、支点突条８’の中にはまり込むように嵌合する。また、受け帯６’の他方の側縁には、支点受け１３から距離を隔てて鈎受け１４が形成され、この鈎受け１４は雄接続金具８に設けた鈎帯１５の鈎部１６と係合する鈎部１７を有する。
雄接続金具８は、中央に嵌め部形成帯９ｂを持ち、その一方から支点突条８’が突出している。この支点突条と距離を隔てて、鈎部１６を持った鈎帯１５が形成されている。
【０００９】
次に、壁面板７、９を用いて、小屋の壁面を形成する作用について説明する。
図２を用いて説明すると、土台等に対して壁面板７を垂直に立設固定し、この壁面板７の側縁に固定されている雌固定金具６に対して、これと接続するための壁面板９の側縁に固定された雄固定金具８を接近させると共に、壁面板９を壁面板７に対して線Ｘ方向に傾斜させる。このように、壁面板９を壁面板７に対して傾斜させ、雄接続金具８を雌接続金具６に近づけると、まず、雌固定金具６の支点受け１３と雄接続金具８の支点突条８’が接近し、支点突条８’は支点受け１３の溝の中に滑り込む。壁面板９を壁面板７方向に強く押し込むと共に、壁面板９の壁面方向を壁面板７と同じ平面に並ぶよう回転させると、今度は、雄接続金具８の鈎帯１５が牝接続金具６の鈎受け１４に接近し、更に壁面板９を回転してゆくと、鈎部１６と鈎部１７とが図２に示すような状態に係合する。これらが係合してしまうと、壁面板７と壁面板９は、同一平面上に並ぶと共に、これら壁面板は、容易に分離しないように両者結合される。そして、支点受け１３と支点突条８’とが密接接触して結合され、更に鈎帯１５と鈎受け１４とが密接結合され、これらが形成する小空間１８が外界と遮断されるため、この小空間１８が遮熱、遮音の層を形成し、壁面板７、９の内外間は、熱的、音的に遮断される。その上、壁面板９を壁面板７に嵌め込むような簡単な結合動作をするだけで両者は堅く半永久的に結合され、容易に剥離するようなことがなくなる。
【００１０】
図５は、屋根板と壁面板の接続部を切断して示した断面図で、１９は、パネル板から成る屋根板で、２０は、壁面板７と同様立設された壁面板である。この立設された壁面板２０の上縁に沿って、断面”コ”字状の長押部材２１が嵌め込まれ、ねじ２２により壁面板２０の上縁に固定され、壁面板２０と一体化される。壁面板２０は中心に断熱板２３を有し、該断熱板２３の表裏面を化粧板２４が覆っている。長押部材２１の両端から延びる鰭片２５は壁面板２０の上縁に取り付けられる。長押部材２１からは、補助板２６と飾り板掛け止め部２７が設けられている。長押部材２１の飾り板掛け止め部２７に近い側には、支点受け２８が形成され、その支点受け２８と距離を隔てて、鈎受け２９が形成されている。なお、上記ねじ２２は、支点受け２８と鈎受け２９の真ん中に壁面板２０に向かってねじ込まれている。
屋根板１９の中心には、断熱板３０が設けられ、断熱板３０の表裏面には、化粧板３１、３２が覆っている。屋根板１９の端縁には、屋根板固定金具３３が取り付けられる。屋根板固定金具３３は、断面がローマ字の”Ｈ”に近し形状をなし、その両端に延びる鰭部３４は、断熱板３０に食い込んでいる。屋根板固定金具３３の一方縁からは、飾り板掛け止め部３５が延びている。鰭部３４が延びている側からは、支点突条３６と鈎帯３７を持った嵌め部形成帯３８が延びている。化粧板３１の端部は、飾り板掛け止め部３５の端縁方向まで延びており、これを覆っている。飾り板掛け止め部２７と３５間には、飾り板３９が嵌め込まれている。なお、４０は水抜き孔である。
【００１１】
次に土台上に立設された壁面板の上端に屋根板を取り付ける作用について説明する。
立設固定された壁面板２０の上縁に沿って、長押部材２１をねじ２２により固定する。この後、飾り板３９を外した屋根板１９の支点突条３６を長押部材２１の支点受け２８の内側に沿わせると共に、鈎帯３７を鈎受け２９の内側に沿わせ、天井板１９の上から足踏みするなどして、体重を屋根板１９の上から掛ける。この動作で、鈎帯３７と鈎受け２９はその鈎部の噛み合いでがっちりはまり込むと同時に、支点突条３６が支点受け２８方向に強く押しつけられる。そして、これらが係合してしまうと、壁面板３０と屋根板１９は、容易に分離しないように両者結合される。また、支点受け２８と支点突条３６とが密接接触して結合され、更に鈎帯３７と鈎受け２９とが密接結合され、これらが形成する小空間４１が外界と遮断されるため、この小空間４１が遮熱、遮音の層を形成し、壁面板と屋根板を境としてそれらの内外間は、熱的、音的に遮断される。その上、壁面板を屋根板に嵌め込むような簡単な結合動作をするだけで両者は堅く結合され、容易に剥離するようなことがなくなる。屋根板が取り付けられた後、屋根板の周縁に飾り板３９を取り付ける。
【００１２】
図６は、図１に示すＢーＢ線に沿って切断した小屋のコーナー部分を示す部分断面図である。図６において、４２は、雌接続金具４３を持った壁面板である。壁面板４２は、その骨格にポリウレタン発泡剤により形成された断熱板４４を有する。壁面板４２はその両面を鉄板から成る化粧板４５に囲まれている。壁面板４２はその端縁に前記雌接続金具４３が取り付けられる。雌接続金具４３は、断面Ｌ字形の鰭部分４６を有し、この鰭部分４６に続く壁面板４２と同一平面方向の部分には、これと直交する方向に突出する支点受け４７と、鈎受け４８が突出している受け帯４９が設けられている。支点受け４７は、図２に示す実施例の支点受け１３のように袋状を呈し、また、鈎受け４８は、鈎部５０を有する。壁面板４２に対して直角に接続される壁面板は、図２及び図４において説明されている壁面板９と同一構造であるので、図６では、同一の図番を振って、詳細な構造の説明は省略する。
【００１３】
次に、壁面板９、４２を直角に接続して、コーナー壁面を形成する作用について説明する。
図６を用いて説明すると、コーナー部分に壁面板４２を垂直に立設固定し、この壁面板４２の側縁に固定されている雌固定金具４３に対して、これと接続するための壁面板９の側縁に固定された雄固定金具８を接近させると共に、壁面板９を壁面板４２に対して線Ｙ方向に鋭角を持って傾斜接近させる。このように、壁面板９を壁面板４２に対して傾斜させ、雄接続金具８を雌接続金具４３に近づけると、まず、雌固定金具４３の支点受け４７と雄接続金８の支点突条８’が接近し、支点突条８’は支点受け４７の溝の中に滑り込む。壁面板９を壁面板４２方向に強く押し込むと共に、壁面板９の壁面方向を壁面板４２に対して直角となるように回転させると、今度は、雄接続金具８の鈎帯１５が牝接続金具４３の鈎受け４８に接近し、更に壁面板９を回転してゆくと、鈎部１６と鈎部５０とが図６に示すような状態に係合する。これらが係合してしまうと、壁面板９と壁面板４２は、直角に接続されると共に、これら壁面板は、容易に分離しないように両者結合される。そして、支点受け４７と支点突条８’とが密接接触して結合され、更に鈎帯１５と鈎受け４８とが密接結合され、これらが形成する小空間５１が外界と遮断されるため、この小空間５１が遮熱、遮音の層を形成し、壁面板９、４２の内外間は、熱的、音的に遮断される。その上、壁面板９を壁面板４２に嵌め込むような簡単な結合動作をするだけで両者は堅く結合され、容易に剥離するようなことがなくなる。
【産業上の利用可能性】
【００１４】
以上、本発明をプレハブ構造の小屋に適用したが、このような実施例に限ることはなく、例えば、学校等の音楽室の壁面に適用したり、住宅内に設ける個室の壁面に適用出来、これらの適用は、本願の要旨を変更しない限り、本願発明の権利範囲に属することは言うまでもない。
【図面の簡単な説明】
【００１５】
【図１】図１は、プレハブ小屋の正面図である。
【図２】図２は、壁面板の接続構造の断面図である。
【図３】図３は、雌接続金具の断面図である。
【図４】図４は、雄接続金具の断面図である。
【図５】図５は、屋根板と壁面板との接続構造を示す断面図である。
【図６】図６は、直角に接続された壁面板の断面図である。
【符号の説明】
【００１６】
１・・・地面
２・・・小屋
３・・・壁面板
４・・・屋根板
５・・・屋根
６・・・雌接続金具
６’・・受け帯
６”・・鰭部
７・・・壁面板
８・・・雄接続金具
８’・・支点突条
９・・・壁面板
９ａ・・化粧板
９ｂ・・嵌め部形成帯
１０・・・断熱板
１１・・・断熱板
１２・・・化粧板
１３・・・支点受け
１４・・・鈎受け
１５・・・鈎帯
１６・・・鈎部
１７・・・鈎部
１８・・・小空間
１９・・・屋根板
２０・・・壁面板
２１・・・長押部材
２２・・・ねじ
２３・・・断熱板
２４・・・化粧板
２５・・・鰭片
２６・・・補助板
２７・・・飾り板掛け止め部
２８・・・支点受け
２９・・・鈎受け
３０・・・断熱板
３１・・・断熱板
３２・・・断熱板
３３・・・屋根板固定金具
３４・・・鰭部
３５・・・飾り板掛け止め部
３６・・・支点突条
３７・・・鈎帯
３８・・・嵌め部形成帯
３９・・・飾り板
４０・・・水抜き孔
４１・・・小空間
４２・・・壁面板
４３・・・雌接続金具
４４・・・断熱板
４５・・・化粧板
４６・・・鰭部分
４７・・・支点受け
４８・・・鈎受け
４９・・・受け帯
５０・・・鈎部
５１・・・小空間  
【図１】
2006291646.tif 000003
【図２】
2006291646.tif 000004
【図３】
2006291646.tif 000005
【図４】
2006291646.tif 000006
【図５】
2006291646.tif 000007
【図６】
2006291646.tif 000008